(57)【要約】【課題】どの方向からも筆記できるように、軸体内に、筆圧により先端部が軸径方向に撓むことのない複数の剛体のペン基本体を周状に配列して、各ペン基本体の先端部の全体形状が略円錐形となるようにしたペン先において、筆跡幅に変化をもたらすことが可能なペン先とする。【解決手段】、後方に向かうにしたがってより軸心から離間する複数の収容溝７を周状に複数有し、前後に連通したインキ流通路９と該インキ流通路９に連通したスリット１０を設けたペン基本体保持部材４に、前記収容溝７に遊嵌する挿着部２ｃを有し、先端部２ａに切割溝３を設けた剛体の複数のペン基本体２を、前記挿着部２ｃを収容溝６に挿入して前後動可能に取付ける。回転操作体６を配して、該回転操作体６によりペン基本体２が軸体５に対して前後動可能に軸体５に挿着する。【選択図】図２
2012131197.tif 000002
【特許請求の範囲】
【請求項１】
外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン基本体保持部材に、ペン基本体保持部材の収容溝に遊嵌可能な挿着部を有し先端部が筆圧により軸径方向に撓むことのない剛体の複数のペン基本体を、挿着部を収容溝に遊嵌してペン基本体保持部材に対して前後動可能に配し、集合した各ペン基本体の先端部の全体形状が先窄み状となるように設けるとともに、ペン基本体の先端部の内壁面とペン基本体保持部材のスリットを設けた外壁面との間に毛管作用によりインキが滞留するインキ滞留部が形成されるように設け、各ペン基本体の表面上に回転操作体を、各ペン基本体の表面に形成した全体形状が周状溝となる係合溝に、内方に突出したリング状の係合突起部を嵌合して各ペン基本体に対して回転可能に配し、軸体に体してペン基本体保持部材が前後動することなく、ペン基本体の先端が軸体の先端より突出し、回転操作体を軸体に対して回転させることにより軸体に対して前後動するように軸体にねじ嵌合して装着し、回転操作体を回転して回転操作体を軸体に対して前後動させることで、ペン基本体がペン基本体保持部材に対して各ペン基本体の先端が互いに離間または接近するように前後動可能としたことを特徴とするペン先。
【請求項２】
前記ペン基本体の先端部に、先端に開口し前記インキ滞留部に連通した切割溝を設けたことを特徴とする、請求項１に記載のペン先。
【発明の詳細な説明】
【技術分野】
【０００１】
本発明は、軸体内に、筆圧により先端部が軸径方向に撓むことのない複数の剛体のペン基本体を周状に配列して、各ペン基本体の先端部の全体形状が先窄み形状となるように設けたペン先に関する。
【背景技術】
【０００２】
従来、どの方向からも筆記面に筆記できる無方向性のペン先として、複数のペン基本体を周状に配列して、集合した各ペン基本体の先端部の全体形状が略円錐形状となるように集合してなるペン先は知られており、ペン基本体が、筆圧により先端部が軸径方向に撓むことのない剛体に形成されたものも、特開２００３−１６５２９３号により知られている。
【０００３】
万年筆においては、筆記時の筆圧により、ペンの先端に形成された切割溝により先端が開き、紙面等の筆記面へインキを流出するための前記切割溝で構成されたインキ流出路の幅が広くなるので、筆跡幅に変化をもたらすことができるが、剛体の複数のペン基本体で構成された無方向性のペン先にあっては、ペン先の先端へのインキ流出は各ペン基本体間で形成される隙間に依存しており、筆記時の筆圧によりペン基本体が軸径方向に撓んだりしないので、前記隙間量に変化がおこらず、筆跡幅に変化をもたらすことができない。
【先行技術文献】
【特許文献】
【０００４】
【特許文献１】特開２００３−１６５２９３号公報
【発明の概要】
【発明が解決しようとする課題】
【０００５】
本発明は前記事実に鑑みてなされたもので、どの方向からも筆記できるように、軸体内に、筆圧により先端部が軸径方向に撓むことのない複数の剛体のペン基本体を周状に配列して、集合した各ペン基本体の先端部の全体形状が先窄み状となるようにしたペン先において、筆跡幅に変化をもたらすことが可能なペン先を得ることにある。
【課題を解決するための手段】
【０００６】
本発明は、
「１．外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン基本体保持部材に、ペン基本体保持部材の収容溝に遊嵌可能な挿着部を有し先端部が筆圧により軸径方向に撓むことのない剛体の複数のペン基本体を、挿着部を収容溝に遊嵌してペン基本体保持部材に対して前後動可能に配し、集合した各ペン基本体の先端部の全体形状が先窄み状となるように設けるとともに、ペン基本体の先端部の内壁面とペン基本体保持部材のスリットを設けた外壁面との間に毛管作用によりインキが滞留するインキ滞留部が形成されるように設け、各ペン基本体の表面上に回転操作体を、各ペン基本体の表面に形成した全体形状が周状溝となる係合溝に、内方に突出したリング状の係合突起部を嵌合して各ペン基本体に対して回転可能に配し、軸体に体してペン基本体保持部材が前後動することなく、ペン基本体の先端が軸体の先端より突出し、回転操作体を軸体に対して回転させることにより軸体に対して前後動するように軸体にねじ嵌合して装着し、回転操作体を回転して回転操作体を軸体に対して前後動させることで、ペン基本体がペン基本体保持部材に対して各ペン基本体の先端が互いに離間または接近するように前後動可能としたことを特徴とするペン先。
２．前記ペン基本体の先端部に、先端に開口し前記インキ滞留部に連通した切割溝を設けたことを特徴とする、前記１項に記載のペン先。」
である。
【０００７】
前記ペン基本体保持部材に設けるインキ流通路は、孔で構成しても良いし、さらに前記孔に繊維状のインキ誘導芯等を挿入して構成しても良く、本発明のペン先を装着する軸筒内に収容したインキをペン基本体保持部材の先端部に確実に流通できればどのような構造でも良い。また、ペン基本体保持部材の先端部に形成するスリットの数は、特に限定されず、インキ滞留部に充分に供給できれば１つでも良いし、例えばペン基本体の数だけ設けても良い。
【発明の効果】
【０００８】
本発明は前記したような構造なので、どの方向からも筆記できるように、軸体内に、筆圧により先端部が軸径方向に撓むことのない複数の剛体のペン基本体を周状に配列して、集合した各ペン基本体の先端部の全体形状が先窄み状となるように設けたペン先であっても、各ペン基本体をペン基本体保持部材に対して後退させることで、各ペン基本体の隙間量を変化させることができるので、筆跡幅に変化をもたらすことができる。
【０００９】
請求項２に係る発明とすることで、ペン基本体が後退して各ペン基本体の先端が互いに離間することで各ペン基本体間の隙間量が広くなり、毛細管としての機能が低下して各ペン基本体の先端へのインキ供給量が少なくなっても、ペン基本体の後退による幅が変化しない切割溝によりインキが供給できるので、ペン基本体の先端に充分にインキを供給することができる。
【図面の簡単な説明】
【００１０】
【図１】本発明のペン先の実施例を示す、ペン先の斜視図である。
【図２】本発明のペン先の実施例を示す、ペン先の要部を断面した図である。
【図３】図２におけるＡ−Ａ線部分の拡大端面図である。
【図４】本実施例におけるペン基本体の拡大斜視図である。
【図５】本実施例におけるペン基本体保持部材の拡大斜視図である。
【図６】本実施例におけるペン基本体保持部材にペン基本体を装着した状態を示す、拡大斜視図である。
【図７】図２において、ペン基本体が後退した状態を示す、ペン先の要部を断面した図である。
【図８】実施例のペン先を装着した筆記具の一例を示す、筆記具の要部を断面した図である。
【図９】実施例のペン先を装着した筆記具の他の例を示す、筆記具の要部を断面した図である。
【発明を実施するための形態】
【００１１】
本発明は、先窄み状の先端部を有した、筆圧により先端部が軸径方向に撓むことのない剛体の複数のペン基本体を、後端から先端に連通したインキを流通するためのインキ流通路を有したペン基本体保持部材に、該ペン基本体保持部材に対して前後動可能に装着するものである。
【実施例】
【００１２】
本発明のペン先の実施例を、図１〜図７を用いて説明する。
本実施例のペン先１は、主として前方に向かって軸径方向と周方向において先窄み状の先端部２ａを有し、該先端部２ａに軸心方向に延び先端に開口した切割溝３を設けた、筆圧により先端部２ａが軸径方向に撓むことのない剛体の複数のペン基本体２と、該ペン基本体２を周状に配列して保持するためのペン基本体保持部材４と、前記ペン基本体２とペン基本体保持部材４を装着しインキを収容する軸筒（図示せず）の先端に連接可能な軸体５と、ペン基本体２を手動で前後動させるための回転操作体６とで構成されている。
【００１３】
ペン基本体保持部材４は、図２および図５に示すように、小径な前方突設部４ａと、該前方突設部４ａより大径で、後方（図４において右側方向）に向かうにしたがい漸次大径となるテーパー状の本体部４ｂと、該本体部４ｂより小径な小軸部４ｃと、本体部４ｂより大径な後端鍔部４ｄとで構成されている。本体部４ｂの外周面には、該本体部４ｂのテーパーに沿って６つの収容溝７を設けてある（図５を参照）。また、ペン基本体保持部材４には、後端鍔部４ｄの後端から前方突設部４ａの先端に貫通した貫通孔８を形成し、内部に繊維束からなるインキ誘導芯を挿入してインキを流出するためのインキ流通路９を設けてある。前記前記前方突設部４ａは、先端部４ａａをさらに小径にし、一方をインキ流通路９に連通し他方を外方に開口した４つのスリット１０を設けてある（図３を参照）。
【００１４】
前記ペン基本体２は、図２および図４に示すように、本体部２ｂの前方に先窄み状の先端部２ａを、後方に前記収容溝７に遊嵌する挿着部２ｃを有した形状としてあり、該挿着部２ｃは収容溝７のテーパーにならい、後端が後方に向かうにしたがって軸心Ｈより離間するように形成してある。挿着部２ｃの後端には、内方に突出した突出部１１を設けてある。また、先端部２ａは、後方に向かうにしたがって肉厚が漸次厚くなり、各ペン基本体２をペン基本体保持部材４に挿着した際に、各ペン基本体２の先端部２ａの内壁面がペン基本体保持部材４の中心軸線上で互いに当接するように形成してある。また、本体部２ｂには、幅方向に両端を開口した係合溝１２を設けてある。
【００１５】
６つのペン基本体２をペン基本体保持部材４に、挿着部２ｃをペン基本体保持部材４の各々の収容溝７に遊嵌し、挿着部２ｃの突出部１１を小軸部４ｃに対向して挿着し（図６を参照）、各ペン基本体２の先端部２ａの全体形状を略円錐形としてある。各ペン基本体２の先端部２ａの後端には切欠部１３を設けてあり、集合したペン基本体において切欠部１３で構成された挿入孔１４（図２を参照）を形成してある。該挿入孔１４の内径は、ペン基本体保持部材４の前方突設部４ａの先端部４ａａの外径より若干大径となるように形成してあり、先端部４ａａのスリット１０の周りの外壁面とペン基本体２の先端部２ａの内壁面との間の隙間は、毛管作用によりインキが溜まるインキ滞留部１５としてある。
【００１６】
回転操作体６は、前記した係合溝１２に係合するリング状に形成した係合突起部１６を有し、操作部６ａと該操作部６ａより小径な雄ねじを形成した雄ねじ部６ｂとで構成されている。回転操作体６は、図３に示すように、製造上の問題から２分割状態状態で形成されている。
【００１７】
前記軸体５は、図２に示すように、軸体５の内壁面は、ペン基本体２の外周面上に配した回転操作体６の雄ねじ部６ｂを挿入可能な内径に形成してあり、回転操作体６の雄ねじ部６ｂの雄ねじにねじ嵌合可能な雌ねじを形成して雌ねじ部５ａとしてある。
【００１８】
ペン先１とするには、図示してないが、先ず、前記ペン基本体保持部材４に挿着した各ペン基本体２を挿着した挿着部２ｃの外表面に、軸体５の雌ねじ部５ａの雌ねじにねじ嵌合可能な雄ねじを有し、内壁面をペン基本体２の挿着部２ｃの外表面の形状にならった傾斜形状にした固定部材１８を挿入して、該固定部材１８の後端をペン基本体保持部材４の後端鍔部４ｄに当接して挿着する。次に、回転操作体６を、各ペン基本体２の係合溝１２に係合して各ペン基本体２の外周面上を回転可能に配し、その状態で軸体５内に挿入し、前記固定部材１８の雄ねじを軸体５の雌ねじ部５ａの雌ねじにねじ嵌合して固定部材１８を軸体５に締め付けて、軸体５にペン基本体保持部材４を固定し、回転操作体６の雄ねじ部６ｂの雄ねじを軸体５の雌ねじ部５ａの雌ねじにねじ嵌合して組立てる。
【００１９】
本実施例の軸体５には、ペン先１を装着する軸筒に着脱自在に装着できるように、雌ねじ部１９を設けて軸筒に着脱自在に装着可能としてあるが、軸筒に係る内部構造等や軸筒との装着構造については限定されるものではない。
【００２０】
本実施例のペン先１は、回転操作体６を回転することにより、図７に示すように、各ペン基本体２がペン基本体保持部材４に対して、突出部１１のペン基本体保持部材４の本体部４ｂと後端鍔部４ｄ間の移動距離だけ前後動可能となり、ペン基本体２が後退することで各ペン基本体２の先端部分は拡開するので、筆跡幅に変化をもたらすことができる。
【００２１】
本実施例のペン先１を装着した筆記具の軸筒内に収容したインキは、ペン基本体保持部材４に設けたインキ流通路９を通ってペン基本体保持部材４の前方突設部４ａの先端に流出し、スリット１０を介してインキ滞留部１５にインキが溜り、各ペン基本体２との間に形成される隙間１８やペン基本体２の先端部２ａに設けた切割溝３によりペン基本体２の先端にインキが供給される。ペン基本体２が後退して、各ペン基本体２との間に形成される隙間２０が拡開して先端へのインキ供給の性能が落ちても、インキ出が出渋り状態になるという問題は解消される。
【００２２】
次に、本実施例のペン先１を装着した筆記具の具体例を図８および図９を用いて簡単に説明すると、図８に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。この軸筒１０２に、本実施例のペン先１を、軸体５に設けた雌ねじ部１９と軸筒１０２に設けた雄ねじ部１０７をねじ嵌合により連接することで、筆記具として使用することができる。ペン芯１０５の前端をペン基本体保持部材４の後端鍔部４ｄの後端に当接して、ペン芯１０５のインキ流出溝（図示せず）とインキ流通路９を連通させることで、各ペン基本体２の先端にインキを供給可能とするものである。
【００２３】
図９に示す筆記具２０１は、本実施例のペン先１を装着する軸筒２０２は、櫛溝２０３と前後端に開口して連通したインキ流出溝（図示せず）を有し、後端にインキカートリッジ２０４を挿着した際にインキ流出防止用のための開口部を閉塞した蓋（図示せず）をずらして開口部を開口するための後方（図５において右側方向）に突出した突起部２０５を有したペン芯２０６をペン芯保持部材２０７を介して装着した前軸２０２ａと、該前軸２０２ａの後端に、ねじ嵌合により着脱自在に連接する、後端を閉塞し前記ペン芯２０６に挿着したインキカートリッジ２０４を収容可能な収容室２０８を有した後軸２０２ｂとで構成されている。この軸筒２０２に、本実施例のペン先１を、軸体５に設けた雌ねじ部１９と前軸２０２ａに設けた雄ねじ部２０９をねじ嵌合により連接することで、筆記具として使用することができる。前軸２０２ａに装着したペン芯２０６の前端をペン基本体保持部材４の鍔部４ｄの後端に当接して、ペン芯２０６のインキ流出溝(図示せず)とインキ流通路９を連通させることで、各ペン基本体２の先端にインキを供給可能とするものである。
【産業上の利用可能性】
【００２４】
本発明は、どの方向からも筆記面に筆記できる、筆圧により先端部が軸径方向に撓むことのない剛体の複数のペン基本体からなる無方向性のペン先において、筆跡幅を変化させたい場合に適用できる。
【符号の説明】
【００２５】
１  ペン先
２  ペン基本体、２ａ  先端部、２ｂ  本体部、２ｃ  挿着部
３  切割溝
４  ペン基本体保持部材
５  軸体
６  回転操作体
７  収容溝
９  インキ流通路
１０  スリット
１２  係合溝
１５  インキ滞留部
１６  係合突起部
【図１】
2012131197.tif 000003
【図２】
2012131197.tif 000004
【図３】
2012131197.tif 000005
【図４】
2012131197.tif 000006
【図５】
2012131197.tif 000007
【図６】
2012131197.tif 000008
【図７】
2012131197.tif 000009
【図８】
2012131197.tif 000010
【図９】
2012131197.tif 000011